(57)【特許請求の範囲】
【請求項１】
床固め堰堤部、斜面部、水クッション部及びデフレクター部を有する少なくとも１つのカスケード工を、前記床固め堰堤部及びデフレクター部の各頭頂部を結ぶ線が計画河床縦断線以下となる如く、上流側護床工と下流側護床工の間に配してなる魚道であって、河川流量が平水流量以下であっても魚が遡上し得る如く、前記カスケード工の床固め堰堤及びデフレクターの各頭頂部の何れかの箇所に、必要な深さと幅を有するそれぞれ少なくとも１つの欠口を設けてなることを特徴とする床固めカスケード方式魚道。
【請求項２】
前記カスケード工が２段以上連結されてなる、請求項１に記載された床固めカスケード方式魚道。
【請求項３】
最上流側のカスケード工が、前記水クッション部の一方の側壁に取水口を有する、請求項２に記載された床固めカスケード方式魚道。
【請求項４】
前記取水口に制水ゲートが配されてなる、請求項３に記載された床固めカスケード方式魚道。
【請求項５】
前記床固め堰堤部の頂高とデフレクター頂高との差が０．４〜０．８ｍである、請求項１〜４の何れかに記載された床固めカスケード方式魚道。
【請求項６】
前記欠口の深さが、想定する遡上魚の体高に背びれ高を加えた高さ以上の深さである、請求項１〜５の何れかに記載された床固めカスケード方式魚道。
【請求項７】
前記斜面部の傾斜角θ１が約４０°〜６５°である、請求項１〜６の何れかに記載された床固めカスケード方式魚道。
【請求項８】
水クッション部の水平底床長Ｌが床固め堰堤段落高さの約１．５倍〜２．０倍である、請求項１〜７の何れかに記載された床固めカスケード方式魚道。
【請求項９】
デフレクター部這い上がり斜面の傾斜角θ２が約２０°〜２５°である、請求項１〜８の何れかに記載された床固めカスケード方式魚道。
【請求項１０】
最上流の床固め堰堤に、河床貯留水を取り入れるための導水管が配されてなる、請求項１〜９の何れかに記載された床固めカスケード方式魚道。
【発明の詳細な説明】
【０００１】
【発明の属する技術分野】
本発明は、河川に設けられる魚道に関し、特に河川流量が平水流量以下の場合でも魚の遡上が十分に可能なカスケード方式魚道に関する。
【０００２】
【従来技術】
従来、取水等を目的として、河川には大小様々な堰堤が設けられている。この場合、魚の遡上が可能となるように、かなりの費用をかけて魚道が設けられるが、この魚道が十分有効に機能していると言えるケースは殆どないのが現状である。特に、可動堰のような大規模な堰の場合には、建設費のみならず維持管理費も高額であるにもかかわらず、河川の環境保全や親水環境形成の観点から解決されるべき課題が多々発生する。
【０００３】
そこで本発明者等は、建設費が安い上維持管理が容易で、且つ、環境保全や親水環境形成の観点からも好適な魚道について種々検討した結果、床固め堰堤部、水クッション部及びデフレクター部を有する少なくとも１つのカスケード工を設け、前記堰堤及びデフレクターの各頭頂部の１部に、河川流量が平水流量以下であっても水が流れるように欠口を設けた場合には、魚道として極めて有効である上、水クッション部が親水環境形成に役立つことを見出し本発明に到達した。
【０００４】
【発明が解決しようとする課題】
従って本発明の第１の目的は、安価であると共に環境保全の観点からも有効な、河川用魚道を提供することにある。
本発明の第２の目的は、堰堤の建設によって破壊される親水環境を補償することのできる安価で有効な魚道を提供することにある。
【０００５】
【課題を解決するための手段】
本発明の上記の諸目的は、床固め堰堤部、斜面部、水クッション部及びデフレクター部を有する少なくとも１つのカスケード工を、前記床固め堰堤部及びデフレクター部の各頭頂部を結ぶ線が計画河床縦断線以下となる如く、上流側護床工と下流側護床工の間に配してなる魚道であって、河川流量が平水流量以下であっても魚が遡上し得る如く、前記カスケード工の床固め堰堤及びデフレクターの各頭頂部の何れかの箇所に、必要な深さと幅を有するそれぞれ少なくとも１つの欠口を設けてなることを特徴とする床固めカスケード方式魚道によって達成された。
【０００６】
【発明の実施の形態】
以下、本発明を実施例によって説明するが、本発明はこれによって限定されるものではない。
図１は本発明の床固めカスケード方式魚道を３段連結した場合の実施例の断面概念図である。図中の符号１は計画河床縦断線、２は段落長、３は床固め堰堤、４及び４’は水クッション部、５はデフレクター、６は段落高さ、７は水クッション深さ（デフレクター高さ）、８は上流側護床工、９は下流側護床工、１０は必要に応じて設けられる取水用開口、１１は導水管、θ１は段落斜面傾斜角、θ２はデフレクター這上がり斜面傾斜角、Ｌは水クッション水平底長、Ｂは魚道全幅、Ｂ’は魚道欠口幅である。
【０００７】
各堰堤３は、魚が遡上し易いように下流側に段落斜面傾斜角θ１の斜面を有しており、その斜面の先（下流側）に水クッション部４が展開する。水クッション部４は人口の滝壷機能を有するものであり、滝壷が土砂礫で埋まることがないように、水クッション部４も土砂礫で埋まることはない。
段落高さ６は、計画河床縦断線１と段落長２に対して本発明の床固めカスケード方式魚道を何段設けるかによって決定されるが、通常この段落高さ６は１ｍ〜１．３ｍである。段落斜面傾斜角θ１は、遡上を想定する魚が容易に遡上することができるように４０°〜６５°とすることが好ましいが、特に４５°〜６０°とすることが好ましく、一般的に約５０°程度であることが最も好ましい。
【０００８】
水クッション部４には水苔等が生育し、遡上途中に滞遊する魚類の食餌となり得る。また、水クッションの水理諸元決定の為の設計流量は計画高水量の１／５程度とするが、特にその深さ７（デフレクター高さ）は子供の水遊び場として機能させる観点から、０．３ｍ〜０．５ｍとすることが好ましい。また、この程度の深さを確保すれば、生息魚類が鳥類に襲われにくいので、水辺環境を形成するのに好適である。また、水クッション水平底床長Ｌは、前記段落高さ６の１．５倍〜２．０倍とすることが好ましい。
【０００９】
デフレクター這い上がり斜面の傾斜角θ２は２０°〜２５°程度であることが好ましい。また、本発明の魚道下流端には、洗掘を防止すると共に遡上魚類の滞遊域を形成させるために、ブロックやジャ籠、或いは布団籠等を底部に配した水クッション部４’を設けることが好ましい。
一方、最上流床固め堰堤には、河床貯留水を取り入れる為の導水管１１を設け、取水と共に堰堤背面の水抜きをすることが好ましい。
【００１０】
本発明の魚道は一般にコンクリート構造とされるが、適当な石材を入手しうる地域では、磨耗防止として、間知石張りをしたり石積み工構造とすることによって、自然環境に適応し易い構造とすることができる。また、本発明の魚道を透水性地盤（河床）上に構築する場合には、段落長として、十分な浸透路長を確保できる長さとする必要がある。
【００１１】
本発明の魚道の最大の特徴は、河川流量が低水流量であっても魚の遡上が阻害されないように、各堰堤及びデフレクターに、魚の遡上に必要な深さと幅を有する欠口１２を設けた点にある。欠口の深さは、想定する遡上魚の体高に背ビレ高を加えた深さ以上であり、欠口の幅は、想定する遡上魚の体長の１／２以上とする。また、欠口の位置は、河川の地形や流況等によって、河川の片岸であっても両岸であっても良いし、河川中央部とすることができる他、その数も特に制限されるというものではない。
【００１２】
最上流側のカスケード工には、必要に応じて、水クッション側壁に、取水量に応じ、取水口（開口）１０を設けることができる。また、この取水口には制水ゲートを配し、取水口の開閉や取水量の調節を可能とすることが好ましい。このように本発明の魚道は、河川環境や流況を考慮して魚道を主体とした設計をした点に特徴があり、取水施設は付帯的に設けられる。
【００１３】
【発明の効果】
本発明の床固めカスケード方式魚道は、河川環境や流況を考慮して魚道を主体として設計するので、河川の環境保全や親水環境形成が十分に図られる。河川の水流量が平水流量以上であれば、欠口部のみならず、カスケード工の全幅が魚道として機能し、水流量が平水量以下の低水流量となった場合でも欠口１２が魚道を確保するので、魚は常に遡上を阻まれることがない。
【図面の簡単な説明】
【図１】本発明の床固めカスケード方式魚道を３段連結した実施例の断面概念図である。
【図２】図１の実施例の平面図である。
【図３】図１の実施例のＡ−Ａ断面図及びＢ−Ｂ断面図である。
【符号の簡単な説明】
１．  計画河床縦断線
２．  段落長
３．  床固め堰堤
４．  水クッション
４’．水クッション
５．  デフレクター
６．  段落高さ
７．  水クッション深さ（デフレクター高さ）
８．  上流側護床工
９．  下流側護床工
１０．取水用開口
１１．導水管
１２．欠口
θ１． 段落斜面傾斜角
θ２． デフレクター這い上がり斜面傾斜角
Ｌ．  水クッション水平底長
Ｂ．  魚道全幅
Ｂ’．魚道欠口幅
【図１】
0003748391.tif 000002
【図２】
0003748391.tif 000003
【図３】
0003748391.tif 000004